(57)【要約】【課題】略一様の弾力性を持つ毛を用いても，穂首の腰のあるしなやかさを容易に得ることを可能にした毛筆を提供する。【解決手段】胴軸１０と，この胴軸１０の先端に固定基部１１ａを固定される穂首１１とを備える毛筆において，穂首１１の内部に，穂首１１の固定基部１１ａに一端を固定されて穂首１１の先端に向かって小径となるテーパコイルスプリング１５を埋設し，このテーパコイルスプリング１５の内部及び外側に配設される毛１２を穂首１１の先端側で集合させた。【選択図】      図１
2009126048.tif 000002
【特許請求の範囲】
【請求項１】
胴軸（１０）と，この胴軸（１０）の先端に固定基部（１１ａ）を固定される穂首（１１）とを備える毛筆において，
穂首（１１）の内部に，前記固定基部（１１ａ）に一端を固定されて穂首（１１）の先端に向かって小径となるテーパコイルスプリング（１５）を埋設し，このテーパコイルスプリング（１５）の内部及び外側に配設される毛（１２）を穂首（１１）の先端側で集合させたことを特徴とする毛筆。
【請求項２】
請求項１記載の毛筆において，
前記テーパコイルスプリング（１５）の大径端部を，穂首（１１）の固定基部（１１ａ）に固定されるスプリングホルダ（１３）に係止したことを特徴とする毛筆。
【発明の詳細な説明】
【技術分野】
【０００１】
本発明は，胴軸と，この胴軸の先端に固定基部を固定される穂首とを備える毛筆の改良に関する。
【背景技術】
【０００２】
書道では，穂首の止め，撥ね，払い等の微妙な筆使いの習得が上達の重要な要素になっているが，その筆使いの習得を促すために，毛筆には，穂首の腰のあるしなやかさが要求される。従来，毛筆の穂首に腰のあるしなやかさを付与するためには，穂首の腰部，腹部，のど部及び命毛にそれぞれ対応した長さに切り分け，且つそれぞれに対応した弾力性を持つ数種の毛を混ぜ合わせて穂首を製作している。
【０００３】
しかしながら，上記の手法で穂首を製作するには，高価な毛が必要である上，極めて高い熟練を要するため，毛筆は高価なものとなる。
【発明の開示】
【発明が解決しようとする課題】
【０００４】
本発明は，かゝる事情に鑑みてなされたもので，略一様の弾力性を持つ毛を用いても，穂首の腰のあるしなやかさを容易に得ることを可能にした毛筆を提供することを目的とする。
【課題を解決するための手段】
【０００５】
上記目的を達成するために，本発明は，胴軸と，この胴軸の先端に固定基部を固定される穂首とを備える毛筆において，穂首の内部に，前記固定基部に一端を固定されて穂首の先端に向かって小径となるテーパコイルスプリングを埋設し，このテーパコイルスプリングの内部及び外側に配設される毛を穂首の先端側で集合させたことを第１の特徴とする。      
【０００６】
また本発明は，第１の特徴に加えて，前記テーパコイルスプリングの大径端部を，穂首の固定基部に固定されるスプリングホルダに係止したことを第２特徴とする。
【発明の効果】
【０００７】
本発明の第１の特徴によれば，小径側では比較的撓み易いが，大径側では撓み難いというテーパコイルスプリングの撓み特性により，穂首は，その撓みの増加に応じて反発力を確実に増加することになり，習字を行う者は，その反発力をを指に的確に感じ取ることができるので，穂首の命毛，のど，腹を容易に使い分けて，穂首の止め，撥ね，払い等の微妙な筆使いを早期に習得することができる。また一本の毛筆をもって細字も太字も容易に書くこともできる。しかも，テーパコイルスプリングの内部及び外側に配設される毛は穂首の先端側で集合しているため，のどや腹を用いる際でも，穂先割れを起こすことがなく，美しい文字を書くことができる。さらにテーパコイルスプリングの埋設により，略一様の弾力性を持つ毛を束ねても，上記のように腰のあるしなやかな穂首を得ることができることから，毛筆のコストの低減にも寄与し得る。
【０００８】
本発明の第２の特徴によれば，穂首へのテーパコイルスプリングの取り付けを簡単，確実に行うことができる。
【発明を実施するための最良の形態】
【０００９】
本発明の実施の形態を，添付図面に示す本発明の好適な実施例に基づいて以下に説明する。
【００１０】
図１は本発明の実施例に係る毛筆の，穂首を含む要部拡大縦断面図，図２は図１の２−２線断面図，図３は上記毛筆の作用説明図図である。
【００１１】
図１において，毛筆Ｍは，中空の胴軸１０と，この胴軸１０の一端部に取り付けられる固定される穂首１１とで構成される。穂首１１は，それの腰１１ｂ，腹１１ａ，のど１１ｄ及び命毛１１ｅにそれぞれ対応した長さに切り分けた多数の毛１２を混ぜ合わせて束ねてなるもので，この穂首１１の内部には，その固定基部１１ａに固定されるスプリングホルダ１３と，このスプリングホルダ１３に支持されて固定基部１１ａからのど１１ｄ近傍まで延び且つ穂首１１の先端に向かって小径となるテーパコイルスプリング１３が埋設される。このテーパコイルスプリング１３はステンレス金属製もしくは合成樹脂製とされる。
【００１２】
図１及び図２に示すように，スプリングホルダ１３は合成樹脂製で，フランジ１３ａと，このフランジ１３ａの一端面にその中心を囲むように環状に配列して突設される複数の支持片１３ｂとよりなっており，その支持片１３ｂ群の外周に環状配列となる係止溝１４が設けられ，この係止溝１４に前記テーパコイルスプリング１３の大径端部のコイル素線の一巻分が係止溝１４に弾力的に係合され，それを固定すべく，素線の端末１５ａが支持片１３ｂの側方に折り曲げられる。こうすることで，テーパコイルスプリング１３の穂首１１への取り付けを簡単，確実に行うことができる。
【００１３】
穂首１１を構成する多数の毛１２は，上記テーパコイルスプリング１３の内外に配設しながら，フランジ１３ａの端面で揃えて束ねられる。そしてその束は支持片１３ｂ群の周囲で糸１６により固縛され，その固縛部が穂首１１の固定基部１１ａとなる。この固定基部１１ａが胴軸１０の先端部内周面に嵌合され，接着等により固定される。而して，テーパコイルスプリング１３の内外に配設される毛１２は，穂首１１の先端側で集合される。      
【００１４】
次に，この実施例の作用について説明する。
【００１５】
図３に示すように，穂首１１を紙面に徐々に押しつけて撓ませていくことを想定すると，穂首１１の内部に埋設されるテーパコイルスプリング１３は，穂首１１の先端に向かって小径となっているから，その小径側では比較的撓み易いが，大径側では撓み難い。このようなテーパコイルスプリング１３の撓み特性により，穂首１１は，その撓みの増加に応じて反発力を確実に増加することになり，習字を行う者は，その反発力をを指に的確に感じ取ることができるので，穂首１１の命毛ｅ，のど１１ｄ，腹１１ａを容易に使い分けできて，穂首１１の止め，撥ね，払い等の微妙な筆使いを早期に習得することができる。また一本の毛筆Ｍをもって細字も太字も容易に書くこともできる。
【００１６】
しかも，テーパコイルスプリング１３の内部及び外側に配設される毛１２は穂首１１の先端側で集合しているため，のど１１ｄや腹１１ａを使用する際でも，穂先割れを起こすことがなく，美しい文字を書くことができる。
【００１７】
さらにテーパコイルスプリング１３の埋設により，略一様の弾力性を持つ毛を用いても，腰のあるしなやかな穂首１１を得ることができることから，毛筆Ｍのコストの低減にも寄与し得る。
【００１８】
以上，本発明の実施例について説明したが，本発明はそれに限定されることなく，その要旨を逸脱しない範囲で種々の設計変更が可能である。例えば，テーパコイルスプリング１３の素線の太さや，穂首１１におけるテーパコイルスプリング１３の埋設領域等は，毛筆Ｍの種類及び用途に応じて適宜設定することができる。
【図面の簡単な説明】
【００１９】
【図１】本発明の実施例に係る毛筆の，穂首を含む要部拡大縦断面図。
【図２】図１の２−２線断面図。
【図３】上記毛筆の作用説明図図。
【符号の説明】
【００２０】
Ｍ・・・・・毛筆
１０・・・・胴軸
１１・・・・穂首
１２・・・・毛
１３・・・・スプリングホルダ
１５・・・・テーパコイルスプリング
【図１】
2009126048.tif 000003
【図２】
2009126048.tif 000004
【図３】
2009126048.tif 000005